(57)【特許請求の範囲】
【請求項１】
アナログ表示手段を駆動するための少なくとも１つの電気モータ（Ｍ１）と、分周回路（１６）に接続したクロック信号（Ｓｈ）を配信するタイムベース（１４）を備えるクロックモジュール（１２）とを備える電子腕時計であって、前記分周回路が、前記電気モータを制御するように配置された制御回路（１８）に送信された基準信号を配信する電子腕時計において、前記クロックモジュール（１２）がさらに、前記タイムベースと前記分周回路との間に配置され、前記クロック信号に作用し、中間補償信号（Ｓｉ）を前記分周回路に配信する測定・修正回路（２６）を備え、前記タイムベース、前記測定・修正回路、前記分周回路および前記制御回路が、同じケース（１３）内に配置されて前記クロックモジュールを形成し、前記腕時計がさらに、前記クロックモジュール（１２）に接続したクロノグラフモジュール（３０）を備え、前記クロノグラフモジュールが、前記分周回路を介さずに前記中間補償信号（Ｓｉ）によって前記クロックモジュールからクロックを送られることとを特徴とする、電子腕時計。
【請求項２】
前記タイムベースは、共振器（１４ａ）および発振回路（１４ｂ）を備えることを特徴とする、請求項１に記載の電子腕時計。
【請求項３】
前記タイムベース（１４）は、３２ｋＨｚのクロック信号を配信することを特徴とする、請求項１に記載の電子腕時計。
【請求項４】
前記クロノグラフモジュール（３０）は、少なくとも１つの電気モータ（Ｍ２、Ｍ３）を制御するように配置されることを特徴とする、請求項１に記載の電子腕時計。
【請求項５】
前記クロックモジュールの前記ケース（１３）は、密閉してシールされることを特徴とする、請求項１〜４のいずれか一項に記載の電子腕時計。
【請求項６】
前記クロックモジュール（１２）の前記ケース（１３）は、前記タイムベースが組み入れられた集積回路であることを特徴とする、請求項１〜５のうちいずれか一項に記載の電子腕時計。
【請求項７】
前記クロックモジュールの前記ケース（１３）は、セラミック製であることを特徴とする、請求項１〜６のいずれか一項に記載の電子腕時計。
【請求項８】
分周回路（１６）に接続したクロック信号（Ｓｈ）を配信するタイムベース（１４）を備える少なくとも１つのクロックモジュールであって、前記分周回路が、電気モータを制御するように配置された制御回路（１８）に送信される基準信号を配信するクロックモジュールにおいて、前記タイムベースと前記分周回路との間に配置され、前記クロック信号に作用し、中間補償信号（Ｓｉ）を前記分周回路に配信し、かつ、前記中間補償信号（Ｓｉ）を前記分周回路を介さずにクロノグラフモジュール（３０）に配信する測定・修正回路（２６）をさらに備えることを特徴とするクロックモジュール（１２）をキャリブレーションする方法であって、
−  前記タイムベース、前記分周回路、前記制御回路および前記測定・修正回路（２６）をケース（１３）内に組み立てるステップ；
−  前記ケース（１３）を閉鎖するステップ；
−  温度に応じて前記タイムベース（１４）の特徴を測定するステップ；
−  修正パラメータを算出するステップ；
−  前記修正パラメータを前記測定・修正回路（２６）に格納するステップ
を含むことを特徴とする、
方法。
【請求項９】
前記ケース（１３）は、密閉して真空にシールされることを特徴とする、請求項８に記載のキャリブレーション方法。
【請求項１０】
複数のクロックモジュール（１２）は、同時にキャリブレーションされることを特徴とする、請求項８に記載のキャリブレーション方法。
【請求項１１】
前記方法はさらに、前記クロノグラフモジュール（３０）を前記クロックモジュール（１２）に接続することからなるステップを含み、前記クロノグラフモジュールは、前記クロックモジュールからの中間補償信号（Ｓｉ）によってクロックを送られることを特徴とする、請求項８に記載のキャリブレーション方法。
【発明の詳細な説明】
【技術分野】
【０００１】
本発明は、アナログ表示手段を駆動するための１つ以上の電気モータと、分周回路に接続したクロック信号を配信するタイムベースを備えるクロックモジュールとを備える電子腕時計であって、前記分周回路が、（１つまたは複数の）電気モータを制御するように配置された制御回路に送信された基準信号を配信する、電子腕時計に関する。
【背景技術】
【０００２】
図１で説明する先行技術は、例えば水晶共振器１のような圧電共振器で形成されたタイムベースや、発振器２の端子に接続されたシリコンＭＥＭＳ共振器であって、その出力部が周波数分割回路３に接続され、腕時計に必要な動作周波数を得て正確な時刻を示すようになっているシリコンＭＥＭＳ共振器で形成されたタイムベースが知られている。周波数分割回路３の出力部は、ここには図示していない輪列を駆動し、時刻表示、すなわち時、分および場合によっては秒を提供するのに使用される針などのアナログ表示手段を回転させために、電気モータ５の制御回路４に接続される。共振器、発振器、分周回路および制御回路は、同じケース６に設置される。
【０００３】
しかしながら、この構成では、温度変動に無関係な回路を有することは不可能である。なぜなら、温度を補償する回路が備わっていないからである。
【０００４】
温度補償される時計回路が知られている。これらの回路は、水晶に接続し、温度測定・修正回路にも接続している時計モジュールを備えている。そのため、この測定・修正回路は、温度を測定し、クロック回路の動作を修正するように配置される。
【０００５】
これらの回路の１つの欠点は、これらの回路がスペースを取る、すなわち回路の表面積が大きく、組み立てたキャリバーに対してキャリブレーションを実行するという点である。これによって、キャリバーに実施する温度依存修正の製造費が増大する。その上、この構成は、時計ケースに浸透するあらゆる湿気に脆弱である。この湿気に対する脆弱性は、クロック回路の精度および信頼性の低下を招く。
【０００６】
さらに、クロノグラフ機能を有するクロック回路の場合、追加のモジュールがあるという欠点が加わるため、表面積の問題および湿気に脆弱という同じ問題がある。
【発明の概要】
【発明が解決しようとする課題】
【０００７】
本発明は、時刻表示が確実かつ正確で、製造費が低い腕時計を提供することで、前述した先行技術の欠点を克服する電子腕時計に関する。
【課題を解決するための手段】
【０００８】
したがって、本発明は、アナログ表示手段を駆動するための電気モータと、分周回路に接続したクロック信号を配信するタイムベースを備えるクロックモジュールとを備える電子腕時計であって、前記分周回路が、前記電気モータを制御するように配置された制御回路に送信された基準信号を配信する電子腕時計において、クロックモジュールがさらに、タイムベースと分周回路との間に配置され中間補償信号を配信する補償モジュールを備えることと、タイムベース、補償モジュール、分周回路および制御回路が、同じケース内に配置されて前記クロックモジュールを形成することと、前記腕時計がさらに、クロックモジュールに接続したクロノグラフモジュールを備えることと、前記クロノグラフモジュールが、中間補償信号によってクロックモジュールからクロックを送られることとを特徴とする、電子腕時計に関する。
【０００９】
有利な一実施形態では、タイムベースは、共振器および発振回路を備える。
【００１０】
有利な一実施形態では、タイムベースは、３２ｋＨｚのクロック信号を配信する。
【００１１】
有利な一実施形態では、クロノグラフモジュールは、少なくとも１つの電気モータを制御するように配置される。
【００１２】
有利な一実施形態では、前記クロックモジュールのケースは、密閉してシールされる。
【００１３】
有利な一実施形態では、クロックモジュールのケースは、タイムベースを組み入れた集積回路である。
【００１４】
有利な一実施形態では、時計モジュールのケースは、セラミック製である。
【００１５】
本発明の利点は、クロックモジュールが確実で、湿気などの外部の介入の影響を受けにくく、腕時計のキャリバーではなくクロックモジュールに対して温度修正が実施される腕時計を生産できる点である。
【００１６】
さらに、本発明により、クロックモジュールの温度補償信号を使用してクロノグラフクロックモジュールの製造を容易にでき、これによって確実で安価なクロックモジュールを提供する。
【００１７】
本発明は、分周回路に接続したクロック信号を配信するタイムベースを備える少なくとも１つのクロックモジュールであって、前記分周回路が、前記電気モータを制御するように配置された制御回路に送信される基準信号を配信するクロックモジュールにおいて、タイムベースと分周回路との間に配置され中間補償信号を配信する測定・修正回路をさらに備えることを特徴とするクロックモジュールをキャリブレーションする方法であって、
−  タイムベース、分周回路、制御回路および測定・修正回路をケース内に組み立てるステップ；
−  ケースを閉鎖するステップ；
−  温度に応じてタイムベースの特徴を測定するステップ；
−  修正パラメータを算出するステップ；
−  修正パラメータを測定・修正回路に格納するステップ
を含むことを特徴とする、
方法にも関する。
【００１８】
有利な一実施形態では、ケースは、密閉してシールされる。
【００１９】
有利な一実施形態では、複数のクロックモジュールは、同時にキャリブレーションされる。
【００２０】
有利な一実施形態では、クロックモジュールのケースは、密閉して真空にシールされる。
【００２１】
有利な一実施形態では、本方法はさらに、クロノグラフモジュールをクロックモジュールに接続することからなるステップを含み、前記クロノグラフモジュールは、クロックモジュールからの中間補償信号によってクロックを送られる。
【００２２】
本発明による腕時計のその他の利点および特徴は、非限定的な例のみを目的として挙げ、付属の図面に示した本発明の実施形態についての以下の詳細な記載でより明確になるであろう。
【図面の簡単な説明】
【００２３】
【図１】アナログ表示を有する先行技術の電子腕時計の図である。
【図２】本発明によるアナログ表示を有する電子腕時計の図である。
【図３】本発明の一変形例によるアナログ表示を有する電子腕時計の図である。
【発明を実施するための形態】
【００２４】
図２に概略的に示した本発明の第１の実施形態によれば、本発明は、クロックモジュール１２を備えたクロック回路１０を有する電子時計に関する。このクロックモジュール１２は、共振器１４ａで形成されたタイムベース１４を備え、この共振器は例えば、発振器１４ｂの端子に接続している水晶共振器のような圧電共振器、またはシリコンＭＥＭＳ共振器である。この発振器１４ｂは、クロック信号Ｓｈをクロック周波数で配信するのに使用される。このクロック周波数は、一般には３２７６８Ｈｚであり、通常は３２ｋＨｚと称する。以下の説明では、この３２７６８Ｈｚという値を指すのに「３２ｋＨｚ」という用語を使用していく。
【００２５】
発振器の出力部は、腕時計に必要な動作周波数を取得して正確な時刻を示すために、周波数分割回路１６に接続している。例えば、分周回路１６は、秒針が１秒に１ステップ動けるように出力部で１Ｈｚの周波数を配信する。周波数分割回路１６の出力部は、制御回路１８に接続している。この制御回路１８は、クロックモジュール１２を制御する、すなわち時計の速度を調節し、低バッテリモードなどの機能を制御するために使用される。制御回路１８、タイムベース１４および周波数分割回路１６は、単一部品の形態であってよいことは明らかであろう。
【００２６】
クロック回路１０は電気モータＭ１も備えて、輪列（ここには図示せず）を駆動し、時刻表示、すなわち時、分および場合によっては秒を提供するのに使用される針２２などのアナログ表示手段を回転させる。電気モータは、前記電気モータＭ１の動作を制御する制御回路１８に接続している。
【００２７】
有利には、本発明によれば、制御回路１８、タイムベース１４および周波数分割回路１６は、同じケース１３に配置され、クロック回路はさらに、温度補償のための測定・修正回路２６を備えている。この測定・修正回路２６は、発振回路１４ｂと周波数分割回路１６との間に設置される。この測定・修正回路２６は、クロックモジュール１２を温度補償する、すなわち温度に応じて発振器１４ｂからの出力信号、すなわちクロック信号Ｓｈに作用するように使用される。測定・修正回路２６は、前記測定・修正回路２６からの出力信号が所定期間にわたって平均して正確になるように作用する。これを達成するため、測定・修正回路２６は、クロック信号Ｓｈのパルスを抑制する。その結果、タイムベース１４および測定・修正回路２６で形成されたアセンブリは、周波数がクロック信号Ｓｈの周波数よりも低い信号Ｓｉを配信する。これは、測定・修正回路２６がパルスを抑制する、すなわちパルスを取り除くことに起因する。例えば、３２ｋＨｚのクロック信号の場合、８１９２Ｈｚの周波数信号であって、通常８ｋＨｚ信号と呼ばれ、温度補償されている、すなわち正確かつ確実である周波数信号が、タイムベース１４および測定・修正回路２６で形成されるアセンブリによって配信される。
【００２８】
クロックモジュール１２の信頼性を向上させるため、このクロックモジュール内に配置されたケース１３は、セラミック製であり、キャリブレーションの前に密閉してシールされる。ケース１３は、真空にしてシールされる。これによって、湿気が前記ケース１３に浸透できないようにする。その結果、湿気がクロックモジュール１２の精度に影響を及ぼすことはない。
【００２９】
実際、本発明の１つの態様は、長期間にわたって信頼性のあるクロック回路１０を得るためのキャリブレーション方法を提供することにある。
【００３０】
これを達成するため、本方法は、制御回路１８、タイムベース１４、周波数分割回路１６および測定・修正回路２６を同じケース１３内で組み立ててクロックモジュール１２を形成することにある。次に、キャリブレーションは、バッチで、すなわち同時に実施される。そのため、複数のクロックモジュール１２が同時にキャリブレーションされることは明らかである。このキャリブレーションは、温度に応じた共振器１４ａの特徴および測定回路２６の特徴を測定し、その後、修正パラメータを算出することにある。
【００３１】
これらの修正パラメータは、測定・修正回路２６に格納される。そのため、複数のクロックモジュール１２の各共振器１４ａの修正パラメータは、同時に算出される。
【００３２】
そのため、本方法は、多数のクロックモジュール１２を同時にキャリブレーションでき、それによってキャリブレーションに関連するコストを削減するという利点を有する。
【００３３】
有利には、本発明によれば、この構成により、図３に見られるように、温度補償したクロノグラフモジュール３０の製造を簡易にできる。
【００３４】
実際、本発明では、クロノグラフモジュール３０にクロックを送るためにクロックモジュール１２からのクロック信号を用いる。このクロノグラフモジュール３０は、制御回路およびクロノグラフ機能の針を動作させるための回路を備える。例えば、クロノグラフモジュール３０の制御回路は、２つのモータＭ２およびＭ３を動作させるように配置される。その場合、クロックモジュール１２に接続したモータＭ１をなくすことを検討することが可能である。
【００３５】
好ましくは、クロノグラフモジュール３０は、温度補償信号、すなわちクロックモジュール１２の測定・修正回路２６からの出力信号Ｓｉでクロックを送られる。前述した例では、周波数が３２ｋＨｚのクロック信号Ｓｈの場合、周波数８ｋＨｚの温度補償信号Ｓｉが得られる。
【００３６】
その結果、クロノグラフモジュール３０は、そのモジュール自体のタイムベースがないモジュールであり、これによりモジュールのコストが下がる。
【００３７】
クロックモジュール１２が配信するこの温度補償信号Ｓｉは、クロノグラフモジュール３０にとって有用な信号を復元するのに使用される。例えば、温度補償信号を用いて、クロノグラフモジュールの制御回路にクロックを送るためにさらに高い周波数信号を復元できる。その結果、クロノグラフモジュールの制御回路は、このクロノグラフ機能に関連するモータＭ２、Ｍ３を動作させることができる。
【００３８】
復元したさらに高い周波数信号は、輪列の位置を決定する機能のために使用できる。
【００３９】
温度補償したクロックモジュール信号でクロノグラフモジュールにクロックを送る可能性には利点がある。
【００４０】
まず、これによって温度補償した簡易なクロノグラフクロックモジュールの製造が可能になる。実際、公知のクロノグラフクロックモジュールは、３２ｋＨｚの共振器出力信号を直接使用して動作する。共振器の出力部で信号を直接使用するとは、つまり信号を温度補償できないということである。その結果、クロノグラフクロックモジュールの動作はランダムになる。同じように、既存の温度補償信号を使用するとは、つまりそれ自体のタイムベースおよびそれ自体の測定・修正回路を有するクロノグラフモジュール３０を作製する必要がないということである。
【００４１】
逆に、本発明では、完全に温度補償されるクロノグラフ機能を含むクロック回路１０を低コストで取得することが可能である。実際に、本発明では、クロックモジュール１２およびその温度補償した周波数８ｋＨｚの信号Ｓｉのみを使用してクロノグラフモジュール３０を温度補償し、温度補償信号を前記クロノグラフモジュールが使用するようにする。その結果、クロックモジュールからクロノグラフクロックモジュールに変更することが容易になる。
【００４２】
その上、この構成は、電気エネルギーの点でより経済的なクロノグラフクロックモジュールを提供する。実際、クロノグラフモジュールは、温度補償したクロック信号をタイムベース１４の周波数よりも低い周波数で使用する。周波数が高いほど、相互接続能力に関わる損失は大きくなる。実際、プリント回路基板全体にわたる特定の周波数での信号伝送は、容量効果および誘導効果、ならびに起こり得る何らかの表皮効果の影響を受ける。これらの効果はいずれも周波数と関係があり、周波数に応じてこれらの効果と関係のある損失を増大させる。その結果、損失を補償するためには、さらに高い電力を供給しなければならない。
【００４３】
本発明の構成では、より低い周波数を用いてクロノグラフモジュールにクロックを送り、それによって余分な消費に関わる損失が少なくなる。
【００４４】
前述した本発明の様々な実施形態には、付属の特許請求の範囲に規定した本発明の範囲を逸脱しない限り、当業者に自明の様々な代替案および／または改良および／またはその組み合わせを加えてよいことは明らかであろう。
【図１】
0006328136.tif 000002
【図２】
0006328136.tif 000003
【図３】
0006328136.tif 000004